(57)【要約】      （修正有）【課題】セメント運搬船の貨物倉内の交通性が良く、溶接長が短くなり工作性が良く、山型セメント溜まりの下部の船殻構造とエアースライドの間の隙間にセメント溜まり（残留物）が発生することがなく、積荷の混入が起きないセメント運搬船の貨物倉エアスライド構造を提供する。【解決手段】セメント運搬船の貨物倉底部の全面に隙間を有することなく船側から船体中央に傾斜するキャンバス２を布設し、該船体中央部には、セメントを各カットゲートへを誘導するセメント分配山を設けてなる。【選択図】図４
2010221924.tif 000002
【特許請求の範囲】
【請求項１】
セメント運搬船の貨物倉底部の全面に隙間を有することなく船側から船体中央に傾斜するキャンバスを布設し、中央横断面視略台形形状のセメント分配山をそれぞれ隣接するカットゲート間に設け、該セメント分配山によって各カットゲートへセメントを誘導することを特徴とするセメント運搬船の貨物倉エアスライド構造。
【請求項２】
キャンバスへエアを送風する送風管の断面積が送風管の端部に向かって徐々に窄まることを特徴とする請求項１に記載のセメント運搬船の貨物倉エアスライド構造。
【発明の詳細な説明】
【技術分野】
【０００１】
本発明は、セメント運搬船の貨物倉エアスライド構造に関する。
【背景技術】
【０００２】
従来、セメント等の粉状物・粒状物を充填して船艙内に輸送する船として、セメント運搬船がある。この種のセメント運搬船の船内荷役装置に関するものとして、例えば、特開２００６−１３１０９３号公報に開示のものが知られている。特開２００６−１３１０９３号公報に開示のものは、発明の名称「粉体貨物船の粉体送り装置」に係り、「製作及び据付等の手間及びその費用を少なくし、船倉内に粉体を搭載する容積を大きくできる粉体貨物船の粉体送り装置を提供すること」を目的として（同公報明細書段落番号０００５参照）、「船倉の底部に複数組み合わせて傾斜配置され、上部に配置された平面状の通気シートからエアを吹き出して、その上に積載される粉体を斜め下方に移動させるエアスライド部材を有する粉体貨物船の粉体送り装置であって、前記エアスライド部材は、複数の通気孔が並べて形成された平面板と、前記通気孔を覆って、前記平面板の周囲に密着固定されている前記通気シートと、前記複数の通気孔に圧縮エアを供給するダクトと、前記平面板を前記船倉内に固定する支持部材とを有する」ことによって(同特許請求の範囲請求項１の記載参照）、「製作が容易となり、かつ搬送及び据付が不要となるためコストを安価にでき・・・しかも、・・・平面板の高さを低くでき、この結果、粉体を船倉内に搭載できる容積が大きくできる」等の効果を奏するものである(同公報明細書段落番号０００７参照）。すなわち、この種のセメント運搬船は、概略、図５〜図８に示されるような貨物倉エアスライド構造を有している。
【０００３】
図５、従来のセメント運搬船の貨物倉エアスライド構造の概略を示す図であり、そのうち、図５（Ａ）は、同セメント運搬船の側面図、同図５（Ｂ）は、同二重底部の平面図、同図５（Ｃ）は、中央横断面図である。また、図６は、図５（Ｂ）に示した二重底部平面図の拡大図、図７は、図５（Ｃ）に示した中央横断面図の拡大図である。また、図８は、積荷であるセメントを搬出する際に、当該セメントを前記フローコンベア１１０に導くエアスライド部分の拡大図である。図５〜図８において、符号１００は、セメント運搬船、１０１、１０２、１０３、１０４は、各貨物倉、１０５は機関室、１０６、１０７、１０８、１０９は、前記各貨物倉１０１、１０２、１０３、１０４下の各バラストタンク、１１０は、船倉中央部を貫いて設けられるフローコンベア、１１１は、前記各貨物倉１０１、１０２、１０３、１０４の最下部に配置されるエアースライド、１１２は、同山型セメント溜まり防止である。
【０００４】
また、図５（Ｃ）、図７、図８において、１１３は、積荷であるセメントの流量を調節するためのカットゲート、１１５は、上部傾斜カバーであり、１１４は、積荷であるセメントを搬出する際に、当該セメントを前記フローコンベア１１０に導くキャンバスであり、当該キャンバス１１４の両端には、接続用ボルトナット部分１１６を介して前記山型のセメント溜まり防止１１２が設けられる。また、当該キャンバス１１４は、麻又は木綿製の布地であり、その下部に配置されるキャンバス支持鋼板１１７との間に開口する開口部１２１に図示外コンプレッサーにより風を送り、当該キャンバス１１４に風圧による振動を生じさせて、該キャンバス１１４の上に堆積されるセメントを前記フローコンベア１１０方向に移動させるように構成される。
なお、図７において、符号１１７は、前記キャンバス支持鋼板、１１８は、船底外板、１１９は、バラストタンク上部、１２０は、エア配管スペースである。
【０００５】
このようなセメント運搬船１００の船倉構造においては、セメントがそのまま前記貨物倉１０１、１０２、１０３、１０４内に一杯に積み込まれ、セメント搬出時には、前記各貨物倉１０１、１０２、１０３、１０４から船倉中央部を貫いて設けられる前記フローコンベア１１０を動かして、セメントを該フローコンベア１１０に流れ込まれるようにして、図示外バケットコンベアによって船外に搬送される。このセメント搬出時には、図示外コンプレッサーによって前記キャンバス１１４下部の前記キャンバス支持鋼板１１７との間に風を送り、風力によって当該キャンバス１１４を振動させ、この振動によって、積荷であるセメントを前記フローコンベア１１０に集合するように構成され、また、この際に積荷であるセメントが一箇所に溜まらないように効率よく前記キャンバス１１４に導くために前記各キャンバス１１４間に山型セメント溜まり防止１１２が設けられる。
【先行技術文献】
【特許文献】
【０００６】
【特許文献１】特開２００６−１３１０９３号公報
【発明の概要】
【発明が解決しようとする課題】
【０００７】
ところが、上述したセメント運搬船１００の貨物倉エアスライド構造は、前記各エアースライド１１１間に山型セメント溜まり防止１１２を設置しているので、セメント運搬船１００の各貨物倉（セメントホールド）１０１、１０２、１０３、１０４内の交通性が悪く、溶接長が長くなり工作性が悪く、特に、前記山型セメント溜まり防止１１２の下部の船殻構造と前記エアースライド１１１の間の隙間にセメント溜まり（残留物）が発生し、この結果、次に積載した積荷との間で混入が起きるという問題があった。そこで、セメント運搬船１００の貨物倉１０１、１０２、１０３、１０４内の交通性が良く、溶接長が短くなり工作性が良く、前記山型セメント溜まり１１２の下部の船殻構造と前記エアースライド１１１の間の隙間にセメント溜まり（残留物）が発生することがなく、積荷の混入が起きないセメント運搬船の貨物倉エアスライド構造を提供することを目的とする。
【課題を解決するための手段】
【０００８】
本願請求項１に係る発明は、セメント運搬船の貨物倉エアスライド構造において、セメント運搬船の貨物倉底部の全面に隙間を有することなく船側から船体中央に傾斜するキャンバスを布設し、中央横断面視略台形形状のセメント分配山をそれぞれ隣接するカットゲート間に設け、該セメント分配山によって各カットゲートへセメントを誘導することを特徴とする。
また、本願請求項２に係る発明は、前記請求項１に係るセメント運搬船の貨物倉エアスライド構造において、キャンバスへエアを送風する送風管の断面積が送風管の端部に向かって徐々に窄まることを特徴とする。
【発明の効果】
【０００９】
本発明は、上述のとおり構成されているので、次に記載する効果を奏する。
セメント運搬船の貨物倉内の交通性が良く、溶接長が短くなり工作性が良く、山型下部の船殻構造とエアースライド１１１の間の隙間に溜まり（残留物）ができず積荷の混入が起きないという効果がある。
また、キャンバスへエアを送風する送風管端部を窄めることにより、送風管から排出するエアが乱流し、キャンバスをより振動させることができ、セメントをより効率良く船体センターライン付近に配置される前記フローコンベア１１０へ集合し易くなるという効果を有する。
さらに、セメント分配山３を船体中央部に設けることにより、各カットゲート１１３へセメントを誘導することを容易にするという効果を有する。
【図面の簡単な説明】
【００１０】
【図１】図１（Ａ）は、本実施例１に係るセメント運搬船の貨物倉エアスライド構造を有するセメント運搬船の側面図、同図１（Ｂ）は、同二重底部の平面図、同図１（Ｃ）は、中央横断面図である。
【図２】図２は、図１（Ｂ）に示す二重底部の拡大図である。
【図３】図３は、同図１（Ｃ）に示す中央横断面図の拡大図であり、新たに設けたセメント分配山３部分を拡大して示す図である。
【図４】図４は、本実施例１に係るセメント運搬船の貨物倉エアスライド構造の拡大図である。
【図５】図５（Ａ）は、同セメント運搬船の側面図、同図５（Ｂ）は、同二重底部の平面図、同図５（Ｃ）は、中央横断面図である。
【図６】図６は、図５（Ｂ）に示した二重底部平面図の拡大図である。
【図７】図７は、図５（Ｃ）に示した中央横断面図の拡大図である。
【図８】図８は、積荷であるセメントを搬出する際に、当該セメントを前記フローコンベア１１０に導くエアスライド部分の拡大図である。
【発明を実施するための形態】
【００１１】
本発明に係るセメント運搬船の貨物倉エアスライド構造を実施するための形態として一実施例を図面に基づき詳細に説明する。
【実施例１】
【００１２】
図１〜図４は、本発明に係るセメント運搬船の貨物倉エアスライド構造を実施するための形態の一実施例であるセメント運搬船の貨物倉エアスライド構造の実施例１を示す概略図であり、そのうち、図１（Ａ）は、本実施例１に係るセメント運搬船の貨物倉エアスライド構造を有するセメント運搬船の側面図、同（Ｂ）は、同二重底部の平面図、同（Ｃ）は、中央横断面図である。また、図２は、図１（Ｂ）に示す二重底部の拡大図、図３は、同図１（Ｃ）に示す中央横断面図の拡大図であり、新たに設けたセメント分配山３部分を拡大して示す図である。また、図４は、本実施例１に係るセメント運搬船の貨物倉エアスライド構造の拡大図であり、本実施例１に係るセメント運搬船の貨物倉エアスライド構造１においては、従来の山型セメント溜まり防止１１２を廃止し、新たな形状のキャンバス２及びセメント分配山３を配置したものである。
【００１３】
図１、図４において、符号１は、本実施例１に係るセメント運搬船の貨物倉エアスライド構造を示し、符号２は、本実施例１に係るセメント運搬船の貨物倉エアスライド構造１に新たに設けられるキャンバス２、符号３は、本実施例１に係るセメント運搬船の貨物倉エアスライド構造１に新たに設けられるセメント分配山である。
また、図１、図４において、図５〜図８に示した部材と同じ部材については、同じ符号で示し、その詳しい説明は省略する。
【００１４】
図１〜図４に示すように、本実施例１に係るセメント運搬船の貨物倉エアスライド構造１においては、従来配置されていた山型セメント溜まり防止１１２を廃止し、貨物倉底部の全面に大きな形状のキャンバス２及びセメント分配山３からなる新たなエアスライド構造１を配置したものである。
すなわち、図４に示すように、従来の山型セメント溜まり１１２を廃止し、当該山型セメント溜まり防止１１２の配置位置の全面に従来のキャンバス１１４の約３倍の幅を有するキャンバス２が船体縦方向に隙間を設けることなく布設される。さらに、船体中央部には、セメント分配山３を設け、上から送り込まれるセメントが貨物倉内の一箇所に滞留することなく、各カットゲート１１３へセメントを誘導するようにしたものであり、新たにセメント分配山３を船体中央部の各カットゲート１１３の間に設けたものである。
また、例えば、本実施例１に係るセメント運搬船の貨物倉エアスライド構造１においては、前記送風管(図示外）の断面積が従来の約３倍程度で送風管の端部を従来の約２〜２.５倍程度とし、送風管のキャンバス側の端部を徐々に窄めるようにしても良い。
【００１５】
このため、当該キャンバス２を振動させる送風装置としてのコンプレッサー(図示外）は、従来のものに代え、約３倍程度の送風容量を有するコンプレッサーを使用し、コンプレッサー(図示外)から前記キャンバス２への送風管（図示外）を断面積が従来の約３倍程度の送風管へ代えている。
【００１６】
このように配置された本実施例１に係るセメント運搬船の貨物倉エアスライド構造１は、積荷であるセメントを搬出する際には、前記大型のコンプレッサー(図示外）からキャンバス２に送風し、当該キャンバス２を振動させ、従来と同様、前記カットゲート１１３を介して積荷であるセメントを船体センターライン付近に配置される前記フローコンベア１１０へ集合し、船外に搬送するようにしたものである。
【００１７】
本実施例１に係るセメント運搬船の貨物倉エアスライド構造１においては、大きな幅を有する前記キャンバス２を前記エアスライド構造１の全面に隙間を設けることなく張り詰めることにより、従来要していた山型セメント溜まり防止１１２を不要とし、すなわち、山型セメント溜まり防止１１２が配置されなくてもセメント溜まりを発生することがなく、積荷であるセメントを前記カットゲート１１３を介して前記フローコンベア１１０に効率よく集合させることができ、また、前述するように大きな幅を有するキャンバス２を各貨物倉１０１、１０２、１０３、１０４の底部の全面に張り詰めるエアスライド構造１としたので、積荷であるセメントが入り込む隙間がなくなり、積荷が混入することがなくなる。
さらに、本実施例１に係るセメント運搬船の貨物倉エアスライド構造１においては、セメント分配山３を船体中央部に設けることにより、各カットゲート１１３へセメントを誘導し、セメントが一箇所に滞留することがなくなり、セメントの積込み・排出が容易となる。
【産業上の利用可能性】
【００１８】
本発明は、セメント運搬船の貨物倉構造に利用される。
【符号の説明】
【００１９】
１ セメント運搬船の貨物倉エアスライド構造
２ キャンバス
３ セメント分配山
１００ セメント運搬船
１０１、１０２、１０３、１０４ 貨物倉
１１０ フローコンベア
１１１ エアースライド
１１２ 山型セメント溜まり防止
１１３ カットゲート
１１４ キャンバス
１１５ 上部傾斜カバー
１１６ 接続用ボルトナット部分
１１７ キャンバス支持鋼板
１１８ 船底外板
１１９ バラストタンク上部
１２０ エア配管スペース
１２１  開口部
【図１】
2010221924.tif 000003
【図２】
2010221924.tif 000004
【図３】
2010221924.tif 000005
【図４】
2010221924.tif 000006
【図５】
2010221924.tif 000007
【図６】
2010221924.tif 000008
【図７】
2010221924.tif 000009
【図８】
2010221924.tif 000010